(57)【要約】【課題】荷台に容易に取り付けることができる荷台シートを提供する。【解決手段】荷台２１の上方を覆うように荷台２１の床に対応して設けられた上面部１１と、上面部１１の両側に連続して設けられた側面部１２と、上面部１１の後ろ側に連続して設けられた後面部１３とを有する。上面部１１と側面部１２との境界部にはプレス加工により折り目１５が形成されている。側面部１２の高さは、後ろ側よりも前側の方が高く形成されており、上面部１１は後ろ側よりも前側の方が高くなるように傾斜して取り付けられる。【選択図】図１
0003232963.tif 000002
【実用新案登録請求の範囲】
【請求項１】
トラックの荷台に取り付ける荷台シートであって、
前記荷台の上方を覆うように設けられた上面部と、
前記上面部の両側に連続して設けられた側面部と、
前記上面部の後ろ側に連続して設けられた後面部とを有し、
前記上面部と前記側面部との境界部には折り目が形成されており、
前記側面部の高さは、後ろ側よりも前側の方が高く、
前記上面部は後ろ側よりも前側の方が高くなるように傾斜して取り付けられる
ことを特徴とする荷台シート。
【請求項２】
前記上面部の前側周縁には、前記荷台の鳥居の上部に取り付けるための上面取付手段が設けられ、
前記側面部の前側端部の高さは、前記鳥居の上部から前記荷台の側あおりの少なくとも一部を覆う長さとされた
ことを特徴とする請求項１記載の荷台シート。
【請求項３】
前記上面部には、透明部材よりなる窓部が設けられ、
前記側面部には、留め具により開閉可能とされた開口部が設けられた
ことを特徴とする請求項１又は請求項２記載の荷台シート。
【考案の詳細な説明】
【技術分野】
【０００１】
本考案は、トラックの荷台に取り付けて用いる荷台シートに関する。
【背景技術】
【０００２】
従来より、トラックの荷台を覆い、積み荷を雨や雪等から保護する荷台シートが知られている。荷台シートは、例えば、矩形状に形成されており、荷台に被せて周辺部を荷台の下部に設けたフック等にゴムバンドやロープ等により取り付けて用いられる（例えば、特許文献１参照）。
【先行技術文献】
【特許文献】
【０００３】
【特許文献１】実用新案登録第３０６８６４２号公報
【考案の概要】
【考案が解決しようとする課題】
【０００４】
しかしながら、荷台に荷物を積み、その上から荷台シートを被せるのは大変であり、取り付けに手間がかかるという問題があった。また、高さの高い荷物を積んで荷台シートを被せるのは難しいという問題もあった。
【０００５】
本考案は、このような問題に基づきなされたものであり、荷台に容易に取り付けることができる荷台シートを提供することを目的とする。
【課題を解決するための手段】
【０００６】
本考案の荷台シートは、トラックの荷台に取り付けるものであって、荷台の上方を覆うように設けられた上面部と、上面部の両側に連続して設けられた側面部と、上面部の後ろ側に連続して設けられた後面部とを有し、上面部と側面部との境界部には折り目が形成されており、側面部の高さは、後ろ側よりも前側の方が高く、上面部は後ろ側よりも前側の方が高くなるように傾斜して取り付けられるものである。
【考案の効果】
【０００７】
本考案の荷台シートによれば、上面部と側面部との境界部に折り目が形成されているので、折り目を目安として容易に取り付けることができる。また、上面部の前側を高く、後ろ側を低くして取り付けられるので、荷台の前側に高さの高い収納空間を作ることができ、高さの高い荷物を積むことができる。更に、境界部の折り目により容易に立体的に張ることができる。
【０００８】
また、上面部に透明部材よりなる窓部を設けるようにすれば、荷台シートで覆った収納空間に光を取り入れることができ、内部の状態を容易に確認することができる。また、側面部に開閉可能な開口部を設けるようにすれば、荷台シートを取り外さなくても、開口部から荷台シートで覆った収納空間に入ることができる。
【図面の簡単な説明】
【０００９】
【図１】本考案の一実施の形態に係る荷台シートをトラックの荷台に取り付けた状態を表す図である。
【図２】図１に示した荷台シートを展開して表す図である。
【考案を実施するための形態】
【００１０】
以下、本考案の実施の形態について、図面を参照して詳細に説明する。
【００１１】
図１は、本考案の一実施の形態に係る荷台シート１０をトラック２０の荷台２１に取り付けた状態を表すものである。図２は、荷台シート１０を展開して表す図である。この荷台シート１０は、トラック２０の荷台２１に取り付けて用いるものである。トラック２０としては、例えば、キャビン２２の後ろ側に荷台２１が設けられ、荷台２１は、荷物を積載する床と、前側に取り付けられた鳥居２３と、両側面に設けられた側あおり２４と、後面に設けられた後あおり２５とを有するものが好ましく挙げられる。
【００１２】
荷台シート１０は、荷台２１の上方、すなわち荷台２１の床の上方を覆うように設けられた上面部１１と、上面部１１の両側に連続して設けられた側面部１２と、上面部１１の後ろ側に連続して設けられた後面部１３とを有している。上面部１１、側面部１２、及び、後面部１３は、例えば、１枚のシート状部材により連続して形成されている。
【００１３】
上面部１１は、後ろ側よりも前側の方が高くなるように傾斜させて荷台２１に取り付けられる。例えば、上面部１１の前側は鳥居２３の上部に取り付けることが好ましく、後ろ側は後あおり２５に掛けることが好ましい。トラック２０が有する通常の設備を利用して、荷台１１の前側に高さの高い収納空間を作ることができるからである。
【００１４】
上面部１１の前側周縁には、例えば、鳥居２３の上部に取り付けるための上面取付手段１１Ａが設けられている。上面取付手段１１Ａは、例えば、ハトメよりなり、ゴムバンドやロープ等の取付具１１Ｂにより鳥居２３の上部に取り付けられる。上面取付手段１１Ａは、例えば、上面部１１の前側の辺に沿って間隔を開けて複数設けられていることが好ましい。両端部に位置する上面取付手段１１Ａは、上面部１１の横側の辺の近傍に設けられることが好ましい。
【００１５】
側面部１２の高さ（すなわち、高さ方向の長さ）は、後ろ側よりも前側の方が高くなるように形成されている。上面部１１の前側を高く、後ろ側を低く傾斜させて荷台２１に取り付けるからである。側面部１２の高さは、例えば、荷台シート１０を取り付けた際に、側面部１２により側あおり２４の少なくとも一部を覆うことができる長さとすることが好ましい。具体的には、側面部１２の前側端部の高さは、例えば、鳥居２３の上部から側あおり２４の少なくとも一部を覆う長さとすることが好ましい。
【００１６】
側面部１２の下側周縁には、例えば、荷台１１に取り付けるための側面取付手段１２Ａが設けられている。側面取付手段１２Ａは、例えば、ハトメよりなり、ゴムバンドやロープ等の取付具１２Ｂにより側あおり２４の下側に設けられたフック２６等に取り付けられる。側面取付手段１２Ａは、例えば、側面部１２の下側の辺に沿って間隔を開けて複数設けられていることが好ましい。
【００１７】
また、側面部１２の前側周縁には、例えば、鳥居２３やキャビン２２等に固定するための前側固定手段１２Ｃが設けられていることが好ましい。前側固定手段１２Ｃは、例えば、面ファスナーにより構成することが好ましく、面ファスナーの一方の面を側面部１２に取り付け、他方の面を鳥居２３やキャビン２２等の固定位置に取り付けることが好ましい。面ファスナーは連続して設けてもよいが、間隔を開けて複数設けるようにしてもよい。
【００１８】
後面部１３の高さは、例えば、後あおり２５の少なくとも一部を覆うことができる長さとすることが好ましい。後面部１３の下側周縁には、例えば、荷台１１に取り付けるための後面取付手段１３Ａが設けられている。後面取付手段１３Ａは、例えば、ハトメよりなり、ゴムバンドやロープ等の取付具１３Ｂにより後あおり２５の下側に設けられたフック２７等に取り付けられる。後面取付手段１３Ａは、例えば、後面部１３の下側の辺に沿って間隔を開けて複数設けられていることが好ましい。
【００１９】
なお、側面部１２と後面部１３との間には、例えば、広げた状態でこれらを平面的に連続させるように角部１４が設けられている。角部１４の周縁には、例えば、荷台１１に取り付けるための角部取付手段１４Ａが設けられていてもよい。角部取付手段１４Ａは、例えば、ハトメよりなり、ゴムバンドやロープ等の取付具１４Ｂにより側あおり２４又は後あおり２５の下側に設けられたフック２６，２７等に取り付けてもよい。
【００２０】
荷台シート１０には、上面部１１と側面部１２との境界部に折り目１５が設けられている。折り目１５は、例えば、プレス加工により形成される。これにより、折り目１５を目安として容易に立体的に取り付けることができるようになっている。
【００２１】
また、荷台シート１０には、例えば、上面部１１に透明部材よりなる窓部１６が設けられていることが好ましい。荷台シート１０で覆った収納空間に光を取り入れるためである。更に、荷台シート１０には、例えば、側面部１２に留め具により開閉可能とされた開口部１７が設けられていることが好ましい。荷台シート１０を取り外さなくても、開口部１７から荷台シートで覆った収納空間に入ることができるようにするためである。開口部１７の留め具としては、例えば、ファスナー、ボタン、又は、ホックが挙げられ、中でもファスナーが好ましい。
【００２２】
この荷台シート１０は、例えば、次のようにして用いることができる。まず、例えば、上面部１１の上面取付手段１１Ａをゴムバンドやロープ等の取付具１１Ｂを用いて鳥居２３の上部に取り付ける。次いで、例えば、折り目１５を目安として、荷台シート１０を後ろ側に広げ、後面部１３の後面取付手段１３をゴムバンドやロープ等の取付具１３Ｂを用いてフック２７に取り付けると共に、側面部１２の側面取付手段１２Ａをゴムバンドやロープ等の取付具１２Ｂを用いてフック２６に取り付ける。その際、必要に応じて、角部１４を折りたたみ、側面部１２又は後面部１３と共に留める。また、側面部１２の前側を前側固定手段１２Ｃにより鳥居２３又はキャビン２２等に固定する。
【００２３】
このように本実施の形態によれば、上面部１１と側面部１２との境界部に折り目１５が形成されているので、折り目１５を目安として容易に取り付けることができる。また、上面部１１の前側を高く、後ろ側を低くして取り付けられるので、荷台２１の前側に高さの高い収納空間を作ることができ、高さの高い荷物を積むことができる。更に、境界部の折り目１５により容易に立体的に張ることができる。
【００２４】
また、上面部１１に透明部材よりなる窓部１６を設けるようにすれば、荷台シート１０で覆った収納空間に光を取り入れることができ、内部の状態を容易に確認することができる。更に、側面部１２に開閉可能な開口部１７を設けるようにすれば、荷台シート１０を取り外さなくても、開口部１７から荷台シート１０で覆った収納空間に入ることができる。
【００２５】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２６】
１０…荷台シート、１１…上面部、１１Ａ…上面取付手段、１１Ｂ…取付具、１２…側面部、１２Ａ…側面付手段、１２Ｂ…取付具、１２Ｃ…前側固定手段、１３…後面部、１３Ａ…後面取付手段、１３Ｂ…取付具、１４…角部、１４Ａ…角部取付手段、１４Ｂ…取付具、１５…折り目、１６…窓部、１７…開口部、２０…トラック、２１…荷台、２２…キャビン、２３…鳥居、２４…側あおり、２５…後あおり、２６，２７…フック
【図１】
0003232963.tif 000003
【図２】
0003232963.tif 000004